(57)【要約】【課題】遮蔽装置の設置上の制約を受けにくくかつ利便性の向上を図ることができる建具を提供を提供すること。【解決手段】窓下枠２２をシャッター下枠７２で支持するとともに、シャッター下枠７２の固定片部７２５を外壁Ｗの壁パネルＷ１に固定することで、これらを別々に壁パネルＷ１に固定するよりも両者を合わせた見付け寸法が小さくでき、シャッター下枠７２が邪魔にならずに外部シャッター６を設置する上での制約を受けにくくできる。さらに、窓下枠２２とシャッター下枠７２とを合わせた見付け寸法が小さいことから、窓下枠２２の上部からシャッター下枠７２までの距離を短縮することができ、座板８２の錠などに室内側から手が届きやすくなり、これらの操作がしやすくなって利用者の利便性を向上させることができる。【選択図】図３
2010077721.tif 000002
【特許請求の範囲】
【請求項１】
外壁開口部に設けられる窓枠と、この窓枠に支持される面材と、前記窓枠の開口を遮蔽可能な遮蔽装置とを備えた建具であって、
前記遮蔽装置は、前記面材の室外側を覆って閉鎖可能かつ開放可能な遮蔽体と、この遮蔽体を開閉支持する遮蔽枠体とを有して構成され、
前記遮蔽枠体を構成する遮蔽下枠は、見込み方向室外側に向かって下り勾配を有した傾斜面部と、この傾斜面部から上方に突出する少なくとも２つの突出部とを有するとともに、前記外壁の躯体または外壁仕上げ材に固定され、
前記窓枠を構成する窓下枠は、見込み方向に延びる窓下枠底面部を有して形成されるとともに、この窓下枠底面部に下方から当接する前記突出部を介して前記遮蔽下枠の上側に支持されている建具。
【請求項２】
前記窓下枠は、前記窓下枠底面部から上方に延びる縦リブを有して構成され、この縦リブの上方に前記面材が支持されており、
前記縦リブの下方に位置して前記遮蔽下枠の突出部が設けられている請求項１に記載の建具。
【請求項３】
前記少なくとも２つの突出部は、前記傾斜面部の見込み方向室内側端部から上方に突出する室内側突出部を含んで構成され、
前記遮蔽下枠は、前記室内側突出部の下側で前記傾斜面部から下方に延びる遮蔽下枠側面部を有して形成され、
前記窓下枠は、前記窓下枠底面部の見込み方向室内側端部から下方に延びて前記遮蔽下枠の室内側突出部および遮蔽下枠側面部の室内側に対向する窓下枠垂下片を有して形成されるとともに、この窓下枠垂下片と前記室内側突出部とが止水材を介して当接され、かつ当該窓下枠垂下片と前記遮蔽下枠側面部とが固着具で連結されることで、前記遮蔽下枠に固定されている請求項１または請求項２に記載の建具。
【請求項４】
前記少なくとも２つの突出部は、前記傾斜面部の見込み方向中間部から上方に突出する中間突出部を含んで構成され、この中間突出部の室内側に隣接した位置における前記傾斜面部には、当該傾斜面部を貫通する排水孔が形成されている請求項１から請求項３のいずれかに記載の建具。
【発明の詳細な説明】
【技術分野】
【０００１】
本発明は、建具に関し、詳しくは、窓枠および面材と、窓枠の開口を遮蔽可能な遮蔽装置とを備えた建具に関する。
【背景技術】
【０００２】
従来、窓枠（枠体）および障子（面材）の室外側にシャッター（ロールシャッター）や外部ブラインド、巻き取り式網戸、雨戸等の遮蔽体を設け、これらの遮蔽体を閉じることで窓開口部を遮蔽可能な遮蔽装置付きの建具が広く利用されている。このような遮蔽装置として、シャッター面材を開閉可能に支持するシャッター枠（遮蔽枠体）を窓枠とは別体で構成するとともに、窓枠の外側を囲むようにシャッター枠を外壁の躯体に固定した構造が知られている（例えば、特許文献１参照）。
特許文献１に記載されたシャッターでは、窓枠のサッシ下枠が外壁開口部の下端縁に固定されるとともに、このサッシ下枠よりも下方における外壁の躯体にシャッター下枠が固定されている。
【０００３】
【特許文献１】特開２００７−３３２６２８号公報
【発明の開示】
【発明が解決しようとする課題】
【０００４】
しかしながら、前記特許文献１に記載された従来のシャッターでは、サッシ下枠とシャッター下枠とが互いに離隔するとともに、それぞれ別々に外壁の躯体に固定されているため、シャッター下枠の固定位置が窓枠の開口部よりも大きく下がってしまうことから、テラス窓等の掃き出し窓において、設置する上で制約を受けるという問題がある。さらに、シャッター下枠に設けられる錠や、シャッター面材の下端に設けられる開閉用の取手がサッシ下枠よりも下方に位置することから、これらを操作しにくくなってしまい、利用者の利便性を損ねるという問題もある。
【０００５】
本発明の目的は、遮蔽装置の設置上の制約を受けにくくかつ利便性の向上を図ることができる建具を提供することにある。
【課題を解決するための手段】
【０００６】
本発明の建具は、外壁開口部に設けられる窓枠と、この窓枠に支持される面材と、前記窓枠の開口を遮蔽可能な遮蔽装置とを備えた建具であって、前記遮蔽装置は、前記面材の室外側を覆って閉鎖可能かつ開放可能な遮蔽体と、この遮蔽体を開閉支持する遮蔽枠体とを有して構成され、前記遮蔽枠体を構成する遮蔽下枠は、見込み方向室外側に向かって下り勾配を有した傾斜面部と、この傾斜面部から上方に突出する少なくとも２つの突出部とを有するとともに、前記外壁の躯体または外壁仕上げ材に固定され、前記窓枠を構成する窓下枠は、見込み方向に延びる窓下枠底面部を有して形成されるとともに、この窓下枠底面部に下方から当接する前記突出部を介して前記遮蔽下枠の上側に支持されていることを特徴とする。
【０００７】
ここで、遮蔽体としては、複数のシャッターのスラットが上下に連結されて上方に巻取り収容可能に構成されたものであってもよく、また上方に折畳み収容可能に構成されたものでもよい。さらに、遮蔽体としては、複数のスラットがリンクを介して上下に連結されて上方に巻取り収容可能または重ね合わせ収容可能に構成された外部ブラインドであってもよい。また、遮蔽体としては、上方または側方に巻取り収容可能なネットを備えて構成された網戸（ロール網戸）であってもよく、左右スライド自在でかつ側方の戸袋に収納可能な雨戸面材を備えて構成された雨戸であってもよい。
【０００８】
以上の本発明によれば、遮蔽枠体の遮蔽下枠によって窓枠の窓下枠を下方から支持することで、これらを上下に離隔させて別々に外壁の躯体に固定する場合と比較して、互いの距離を近接させて窓下枠と遮蔽下枠とを合わせた見付け寸法を小さくすることができる。従って、遮蔽下枠および窓下枠を固定するために外壁側に必要とされる高さ方向の寸法も小さくできるため、掃き出し窓等の建具に対しても容易に遮蔽装置を設置することができるようになり、遮蔽装置を設置する上での制約を受けにくくなって、各種形式の窓や様々な設置場所の窓に対して遮蔽装置を設置することができる。さらに、窓下枠に対して遮蔽下枠が直下に近接して設けられることで、遮蔽下枠に設けられる遮蔽体の錠操作部や、遮蔽体の開閉ための操作部を窓下枠から近い位置に設けることができ、これらの操作部を操作しやすくなって利用者の利便性を向上させることができる。
【０００９】
また、遮蔽下枠の傾斜面部から突出した突出部を窓下枠底面部に当接させて窓下枠を支持したことで、例えば、互いの平面同士を当接させて支持する容易な場合と比較して、設計した通りの当接位置を確保して、確実に窓下枠を支持することができる。すなわち、平面同士を当接させる場合には、加工精度の誤差などによりそれらの全面を均等に当接させることは困難であり、当接する部分と当接せずに浮き上がる部分とができてしまうのに対し、突出部の先端を窓下枠底面部に当接させることで、この当接部分の浮き上がりなどを防止することができる。さらに、平面同士を当接させた場合には、毛細管現象によって面タッチ部分が水の浸入経路となりやすく、止水性能の点で不都合を生じることがあるのに対し、傾斜面部から上方に突出した突出部を窓下枠底面部に当接させることで、この当接部分からの水の浸入を防止して止水性能を確保することができる。
【００１０】
この際、本発明の建具では、前記窓下枠は、前記窓下枠底面部から上方に延びる縦リブを有して構成され、この縦リブの上方に前記面材が支持されており、前記縦リブの下方に位置して前記遮蔽下枠の突出部が設けられていることが好ましい。
このような構成によれば、窓下枠に設けた縦リブによって、その上方に位置する面材の荷重を支持するとともに、縦リブの下方に位置する突出部を介して遮蔽下枠に伝達することができ、効率的な荷重伝達によって確実に窓下枠および面材を支持して、窓下枠の垂れ下がりを防止することができる。
【００１１】
また、本発明の建具では、前記少なくとも２つの突出部は、前記傾斜面部の見込み方向室内側端部から上方に突出する室内側突出部を含んで構成され、前記遮蔽下枠は、前記室内側突出部の下側で前記傾斜面部から下方に延びる遮蔽下枠側面部を有して形成され、前記窓下枠は、前記窓下枠底面部の見込み方向室内側端部から下方に延びて前記遮蔽下枠の室内側突出部および遮蔽下枠側面部の室内側に対向する窓下枠垂下片を有して形成されるとともに、この窓下枠垂下片と前記室内側突出部とが止水材を介して当接され、かつ当該窓下枠垂下片と前記遮蔽下枠側面部とが固着具で連結されることで、前記遮蔽下枠に固定されていることが好ましい。
このような構成によれば、遮蔽下枠の室内側突出部と窓下枠垂下片との間に止水材を介挿したことで、遮蔽下枠と窓下枠とを互いに水密に接続することができ、これらの傾斜面部と窓下枠底面部との間に入った雨水等が室内側に浸入するのを防止することができる。さらに、遮蔽下枠側面部と窓下枠垂下片とを固着具で連結することで、遮蔽下枠と窓下枠とをより強固に接続することができる。従って、遮蔽下枠と窓下枠とを予め固着具で連結しておき、この連結した状態で外壁開口部に設置し、遮蔽下枠を外壁の躯体に固定するような施工手順を採用することもでき、この手順を採用することで施工効率をさらに向上させることができる。
【００１２】
また、本発明の建具では、前記少なくとも２つの突出部は、前記傾斜面部の見込み方向中間部から上方に突出する中間突出部を含んで構成され、この中間突出部の室内側に隣接した位置における前記傾斜面部には、当該傾斜面部を貫通する排水孔が形成されていることが好ましい。
このような構成によれば、遮蔽下枠に中間突出部を設けたことで、遮蔽下枠や窓下枠の外壁面からの持ち出し寸法が大きくなった場合でも、中間突出部で窓下枠の見込み方向室外側を支持することができ、窓下枠の垂れ下がりをより確実に防止することができる。さらに、中間突出部の室内側に隣接して傾斜面部に排水孔を形成したことで、傾斜面部上に雨水等が入ったとしても、この雨水が中間突出部に堰き止められるのを防止して排水孔から下方に排水することができ、止水性能をさらに向上させることができる。
【発明を実施するための最良の形態】
【００１３】
以下、本発明の実施形態を図面に基づいて説明する。
図１は、本発明の実施形態に係る建具である引違い窓１を示す縦断面図である。図２は、引違い窓１を示す横断面図である。
図１、図２において、引違い窓１は、戸建て住宅等の建物における外壁Ｗの開口部に設けられる掃き出し窓であって、枠体としての窓枠２と面材としての室内外一対の障子３および網戸４とを有する窓本体５と、この窓本体５の室外側に設けられる遮蔽装置としての外部シャッター６とを備えて構成されている。外部シャッター６は、外壁Ｗの躯体としての壁パネルＷ１に固定される遮蔽枠体としてのシャッター枠７と、このシャッター枠７に上下開閉自在かつ上方に巻き上げ収容可能に支持される遮蔽体としてのシャッター面材８とを有して構成されている。
【００１４】
窓枠２は、窓上枠２１、窓下枠２２、および左右の窓縦枠２３を四周枠組みして形成され、窓上枠２１、窓下枠２２および窓縦枠２３は、それぞれ樹脂製の窓枠材で構成されている。室内外の障子３および網戸４は、それぞれ窓上枠２１および窓下枠２２に左右スライド開閉可能に支持されている。シャッター枠７は、窓上枠２１の上方に位置するシャッターケース７１と、窓下枠２２の下方に位置する遮蔽下枠としてのシャッター下枠７２と、左右の窓縦枠２３の見付け方向外側に位置する左右のシャッター縦枠７３とを有して構成され、これらのシャッターケース７１、シャッター下枠７２およびシャッター縦枠７３が壁パネルＷ１に固定されている。シャッター面材８は、複数のスラット８１を上下に連結するとともに、最下部のスラット８１に座板８２を連結して構成され、シャッターケース７１内部の回転ドラム８３に巻き取られて収容されるようになっている。さらに、シャッター面材８は、左右のシャッター縦枠７３に案内されて上下開閉可能とされ、座板８２に設けた錠（不図示）がシャッター下枠７２に設けた錠受け７４と係合することで、障子３および網戸４の室外側を覆って閉鎖されるようになっている。
【００１５】
以上のシャッター枠７は、以下の手順で設置される。先ず、窓上枠２１、窓下枠２２、および左右の窓縦枠２３を四周枠組みして窓枠２を構成する。一方、シャッターケース７１の上面カバー７１２、シャッターケース７１の下面を構成するまぐさ７１１、シャッター下枠７２およびシャッター縦枠７３を枠組みしてシャッター枠７を構成する。そして、窓上枠２１にまぐさ７１１を連結し、窓下枠２２にシャッター下枠７２を連結し、左右の窓縦枠２３にそれぞれシャッター縦枠７３を連結することで、窓枠２とシャッター枠７とを一体化する。次に、一体化した状態の窓枠２およびシャッター枠７を外壁Ｗの開口部に設置し、上面カバー７１２、まぐさ７１１、シャッター下枠７２および左右のシャッター縦枠７３を壁パネルＷ１に固定する。そして、シャッターケース７１の内部に回転ドラム８３を組み込むとともに、シャッター面材８をセットしてから、前面カバー７１３や図示しない側面パネル、点検カバーなどを取り付けることで、外部シャッター６の設置が完了する。
【００１６】
次に、引違い窓１の下枠構造について、図３も参照して詳しく説明する。ここで、図３は、引違い窓１の下枠部分を拡大して示す縦断面図である。
窓下枠２２は、見込み方向に略水平に延びる窓下枠上面部２２１および窓下枠底面部２２２と、窓下枠上面部２２１から上方に立ち上がって室内外の障子３を支持する室内外一対のレール部２２３，２２４と、窓下枠上面部２２１の室外側端部から上方に立ち上がって網戸４を支持する網戸レール部２２５とを有して形成されている。さらに、窓下枠２２は、窓下枠上面部２２１の室内側端部から上方に立ち上がるとともに室内側に折れ曲がって床材Ｆに固定される第１固定片部２２６と、固定片部２２６の下方にて窓下枠底面部２２２と連続し外壁Ｗの壁パネルＷ１に固定される第２固定片部２２７と、窓下枠上面部２２１と窓下枠底面部２２２とを連結して上下に延びる複数（本実施形態では６つ）の縦リブ２２８と、窓下枠底面部２２２の室内側端部から下方に延びる窓下枠垂下片２２９とを有して形成されている。
【００１７】
以上の窓下枠２２において、第１固定片部２２６と室内外のレール部２２３との間には、第１レール間部材２２Ａが取り付けられ、室内外のレール部２２３，２２４間には、第２レール間部材２２Ｂが取り付けられている。また、室内外のレール部２２３，２２４は、それぞれ窓下枠上面部２２１から立ち上がる室内側の立上片２２３Ａ，２２４Ａと、これに対向して窓下枠上面部２２１から立ち上がる室外側の立上片２２３Ｂ，２２４Ｂと、これらの上端間に保持されて障子３の戸車を案内する案内部材２２３Ｃ，２２４Ｃとを有して構成されている。そして、前記複数の縦リブ２２８のうち、第１縦リブ２２８Ａは、室内側のレール部２２３の室外側の立上片２２３Ｂよりも若干室外側に片寄って設けられ、第２縦リブ２２８Ｂは、室外側のレール部２２４における室内側の立上片２２４Ａの直下に設けられ、第３縦リブ２２８Ｃは、網戸レール部２２５の直下に設けられている。すなわち、第１縦リブ２２８Ａの上方には、立上片２２３Ｂを介して室内側の障子３が支持され、第２縦リブ２２８Ｂの上方には、立上片２２４Ａを介して室外側の障子３が支持され、第３縦リブ２２８Ｃの上方には、網戸レール部２２５を介して網戸４が支持されるようになっている。
【００１８】
シャッター下枠７２は、見込み方向室内側から室外側に向かって下り勾配を有した傾斜面部７２１と、この傾斜面部７２１の下方に対向して見込み方向に略水平に延びる底面部７２２と、これらの傾斜面部７２１と底面部７２２との間に形成される中空部７２３とを有して形成されている。傾斜面部７２１は、窓下枠２２よりも見込み方向室外側に長く延びて形成され、水切りとして機能するとともに、この延びた先端部に前記錠受け７４が設けられている。さらに、シャッター下枠７２は、傾斜面部７２１および底面部７２２の室内側端部同士を連結して上下に延びる遮蔽下枠側面部としての側面部７２４と、この側面部７２４の下部に連続して下方に延びて壁パネルＷ１に固定される固定片部７２５と、傾斜面部７２１から上方に突出する３つの突出部としての第１突出部７２６、第２突出部７２７および第３突出部７２８とを有して形成されている。また、第１突出部７２６の室内側側面には、止水材保持部７２９が形成され、この止水材保持部７２９には、窓下枠２２の窓下枠垂下片２２９に当接可能な止水材７２Ａが取り付けられている。
【００１９】
以上のシャッター下枠７２において、第１突出部７２６は、傾斜面部７２１の見込み方向室内側端部から上方に突出する室内側突出部であり、窓下枠２２の第１縦リブ２２８Ａの直下に位置するとともに、窓下枠底面部２２２に下方から当接可能に設けられている。また、第２突出部７２７は、傾斜面部７２１の見込み方向中間部から上方に突出する中間突出部であり、窓下枠２２の第２縦リブ２２８Ｂの直下に位置するとともに、窓下枠底面部２２２に下方から当接可能に設けられている。さらに、第３突出部７２８は、傾斜面部７２１の見込み方向中間部から上方に突出する中間突出部であり、窓下枠２２の第３縦リブ２２８Ｃの直下に位置するとともに、窓下枠底面部２２２に下方から当接可能に設けられている。以上のように、第１〜第３の突出部７２６，７２７，７２８が窓下枠底面部２２２に下方から当接することで、シャッター下枠７２の上側に窓下枠２２が支持されるようになっている。
【００２０】
以上のような窓下枠２２とシャッター下枠７２とは、窓下枠２２の窓下枠垂下片２２９を室内側から貫通してシャッター下枠７２の側面部７２４に螺合する固着具としてのビス７２Ｂによって互いに連結されるようになっている。この際、シャッター下枠７２の側面部７２４の室内側に対向して窓下枠垂下片２２９を位置させ、この窓下枠垂下片２２９の室外側側面に止水材７２Ａを当接させた状態で、ビス７２Ｂを締め付けることで、止水材７２Ａが窓下枠垂下片２２９に密接し、窓下枠２２とシャッター下枠７２との間における止水性が得られるようになっている。従って、シャッター下枠７２の傾斜面部７２１上に雨水が入って第１突出部７２６まで到達したとしても、この雨水が止水材７２Ａに阻止されて側面部７２４と窓下枠垂下片２２９との間に浸入しないようになっている。
【００２１】
さらに、シャッター下枠７２における第２および第３の突出部７２７，７２８の室内側に隣接した位置には、傾斜面部７２１を貫通する排水孔７２１Ａ，７２１Ｂが形成されている。これらの排水孔７２１Ａ，７２１Ｂは、図２にも示すように、シャッター下枠７２の長手方向両端部であり、窓縦枠２３とシャッター縦枠７３との隙間部分の下方に位置して設けられている。従って、シャッターケース７１内部や窓縦枠２３とシャッター縦枠７３との隙間部分に入った雨水等は、シャッター下枠７２の傾斜面部７２１上に落下した後に、傾斜面部７２１に沿って室外側に流れてから第２および第３の突出部７２７，７２８で堰き止められるものの、排水孔７２１Ａ，７２１Ｂに集められてから下方の中空部７２３に落下し、図示しない排水弁を介して外部に排水されるようになっている。
【００２２】
このような本実施形態によれば、以下のような効果がある。
（１）すなわち、掃き出し窓である引違い窓１において、窓下枠２２をシャッター下枠７２で支持するとともに、シャッター下枠７２の固定片部７２５を外壁Ｗの壁パネルＷ１に固定することで、これらを別々に壁パネルＷ１に固定するよりも両者を合わせた見付け寸法が小さくでき、シャッター下枠７２の壁パネルＷ１に対する固定位置を高くすることができる。従って、開口部よりも下側における外壁Ｗの立ち上がり寸法を小さくするとともに、引違い窓１の外にテラスなどが設けられる場合でもシャッター下枠７２が邪魔にならないようにできるため、外部シャッター６を設置する上での制約を受けにくくなって、設置対象の窓の形式や外壁Ｗの位置、設置場所などのバリエーションを拡大することができる。
【００２３】
（２）さらに、窓下枠２２とシャッター下枠７２とを合わせた見付け寸法が小さくできることから、窓下枠２２の上部からシャッター下枠７２までの距離を短縮することができる。従って、座板８２に設けた錠などに室内側から手が届きやすくなり、これらの操作がしやすくなって利用者の利便性を向上させることができる。さらに、引違い窓１の外にテラスなどを設けた場合には、このテラスと室内の床材Ｆとの段差を小さくすることもでき、出入りの利便性も向上させることができる。
【００２４】
（３）また、シャッター下枠７２の第１〜第３の突出部７２６，７２７，７２８を窓下枠底面部２２２に下方から当接することで窓下枠２２が支持されているので、平面同士を当接させる場合と比較して、当接部分の浮き上がりなどを防止しつつ突出部７２６，７２７，７２８先端を窓下枠底面部２２２に確実に当接させることができる。さらに、シャッター下枠７２における傾斜面部７２１から上方に突出した突出部７２６，７２７，７２８を窓下枠底面部２２２に当接させることで、この当接部分からの水の浸入を防止して止水性能を確保することができる。
【００２５】
（４）また、窓下枠２２において、室内外の障子３および網戸４の下方に位置して第１〜第３の縦リブ２２８Ａ，２２８Ｂ，２２８Ｃが設けられ、これらの各縦リブ２２８Ａ，２２８Ｂ，２２８Ｃの直下にシャッター下枠７２の第１〜第３の突出部７２６，７２７，７２８が形成されている。従って、障子３および網戸４の荷重を縦リブ２２８Ａ，２２８Ｂ，２２８Ｃおよび突出部７２６，７２７，７２８を介してシャッター下枠７２に伝達することができ、効率的な荷重伝達によって窓下枠２２と障子３および網戸４とをシャッター下枠７２で支持して、窓下枠２２の垂れ下がりを防止することができる。
【００２６】
（５）さらに、樹脂製の窓下枠２２において、複数の縦リブ２２８が形成されているので、窓下枠２２自体の剛性および強度を高めることができるとともに、第１〜第３の縦リブ２２８Ａ，２２８Ｂ，２２８Ｃから突出部７２６，７２７，７２８に直接的に荷重を伝達することで、窓下枠２２の各部に生じる応力を小さくすることができ、窓下枠２２の垂れ下がりをより確実に防止することができる。また、樹脂製の窓下枠２２を用いることで、断熱性能を高めることができ、室内側に露出する部分の結露が防止できるとともに、室内側から見た場合の意匠性を向上させることができる。
【００２７】
（６）また、シャッター下枠７２の第１突出部７２６と窓下枠垂下片２２９との間に止水材７２Ａが設けられているので、雨水等が側面部７２４と窓下枠垂下片２２９との間に浸入することが防止でき、シャッター下枠７２と窓下枠２２との間の止水性能を確保することができる。傾斜面部７２１上の水を排水孔７２１Ａ，７２１Ｂから排水することにより、止水性能をさらに向上させることができる。
【００２８】
なお、本発明は、前記実施形態に限定されるものではなく、本発明の目的を達成できる他の構成等を含み、以下に示すような変形等も本発明に含まれる。
例えば、前記実施形態において、建具の一例としての引違い窓１について説明したが、本発明の建具は、引違い窓１に限らず、片引き窓や上げ下げ窓などの各種開閉形式を有する窓でもよい。
また、前記実施形態において、遮蔽装置として外部シャッター６を有する建具について説明したが、遮蔽装置としては、外部シャッター６に限らず、各種外部ブラインドや各種網戸、雨戸などであってもよい。
【００２９】
また、前記実施形態では、シャッター下枠７２に設けた第１〜第３の突出部７２６，７２７，７２８の３つの突出部を窓下枠底面部２２２に当接させる構成としたが、突出部の数としては、２つでもよく、また４つ以上であってもよい。
さらに、前記実施形態では、窓下枠２２に設けた複数の縦リブ２２８のうち、第１〜第３の縦リブ２２８Ａ，２２８Ｂ，２２８Ｃの直下に第１〜第３の突出部７２６，７２７，７２８が位置するように構成したが、縦リブの数や位置、突出部との位置関係などは適宜に変更可能であり、前記実施形態に限定されるものではない。
また、前記実施形態では、シャッター下枠７２の固定片部７２５を外壁Ｗの躯体である壁パネルＷ１の見込み方向室外側側面に固定したが、シャッター下枠７２の固定位置としては、外壁躯体の室外側側面に限らず、外壁躯体の室外側側面よりも室内側に入り込んだ位置であってもよく、またサイディングや吹き付けタイル等の外壁仕上げ材にシャッター下枠７２を含むシャッター枠７が固定される構造であってもよい。
【００３０】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３１】
【図１】本発明の実施形態に係る建具を示す縦断面図である。
【図２】前記建具を示す横断面図である。
【図３】前記建具の下枠部分を拡大して示す縦断面図である。
【符号の説明】
【００３２】
１…引違い窓（建具）、２…窓枠（枠体）、３…障子（面材）、４…網戸（面材）、６…外部シャッター（遮蔽装置）、７…シャッター枠（遮蔽枠体）、８…シャッター面材（遮蔽体）、２２…窓下枠、７２…シャッター下枠、７２Ａ…止水材、７２Ｂ…ビス（固着具）、２２２…窓下枠底面部、２２８…縦リブ、２２９…窓下枠垂下片、７２１…傾斜面部、７２１Ａ，７２１Ｂ…排水孔、７２４…側面部（遮蔽下枠側面部）、７２６…第１突出部（室内側突出部）、７２７…第２突出部（中間突出部）、７２８…第３突出部（中間突出部）、Ｗ…外壁、Ｗ１…壁パネル（躯体）。
【図１】
2010077721.tif 000003
【図２】
2010077721.tif 000004
【図３】
2010077721.tif 000005